【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
一又は二以上の締結具をワークに打ち込む締結装置であって、
工具ハウジングと、
少なくとも第一の段と第二の段とそれら第一の段と第二の段との間で移動する可動鉄芯部材とを有し、前記工具ハウジング内に収容された多段式ソレノイドと、
前記可動鉄芯部材に接続されており、延出した状態と引き込まれた状態との間で操作可能な駆動ブレード部材と、
前記第一の段と前記第二の段とそれら第一の段と第二の段との組合せとのうちの少なくとも一つに対する前記可動鉄芯部材の位置を測定する制御モジュールと、
前記制御モジュールに接続されており、前記引き込まれた状態と前記延出した状態との間で前記駆動ブレード部材を移動させる駆動シーケンスを起動するトリガ組立体と、
を備え、
前記制御モジュールは、前記可動鉄芯部材の前記位置に基づいて前記第一の段と前記第二の段との間で電力を導く、
ことを特徴とする締結装置。
【請求項２】
前記制御モジュールは、前記第一の段と前記第二の段とそれら第一の段と第二の段との組合せとのうちの少なくとも一つに関連する電流の変化を測定することによって、前記可動鉄芯部材の前記位置を測定し、前記電流の変化は、前記第一の段と前記第二の段とそれら第一の段と第二の段との組合せとのうちの少なくとも一つに関連する回路のインダクタンスの変化によって引き起こされる請求項１に記載の締結装置。
【請求項３】
前記制御モジュールは、前記第一の段と前記第二の段とのうちの一つに関連する電流変曲点の検出に基づいて、前記可動鉄芯部材の前記位置を測定する請求項１に記載の締結装置。
【請求項４】
前記制御モジュールは、前記可動鉄芯部材の前記位置を検出する一又は二以上のセンサと送受信することによって、前記可動鉄芯部材の前記位置を測定し、前記一又は二以上のセンサが、前記第一の段と前記第二の段とそれら第一の段と第二の段との組合せとのうちの少なくとも一つと関連する請求項１に記載の締結装置。
【請求項５】
前記制御モジュールは、該制御モジュールが、第一の電流変曲点を検出するときに、前記第一の段に関連する磁場を消失させ且つ前記第二の段に磁場を生じさせる請求項１に記載の締結装置。
【請求項６】
前記可動鉄芯部材と前記駆動ブレード部材とが、単一の部材である請求項１に記載の締結装置。
【請求項７】
前記可動鉄芯部材が、前記引き込まれた状態から前記延出した状態に前記駆動ブレード部材を移動させるために前記駆動ブレード部材の一部を突き当てるように前記延出した状態に移動される請求項１に記載の締結装置。
【請求項８】
前記駆動ブレード部材に接続されたバネ部材をさらに備え、前記駆動ブレード部材が、前記引き込まれた状態から前記延出した状態に移動するときに、前記バネ部材の付勢と逆の方向に移動される請求項１に記載の締結装置。
【請求項９】
前記バネ部材のみが、前記延出した状態から前記引き込まれた状態に前記可動鉄芯部材を移動させ且つ前記第一の段と前記第二の段とそれら第一の段と第二の段との組合せとのうちの少なくとも一つのみが、前記引き込まれた状態から前記延出した状態に前記可動鉄芯部材を移動される請求項８に記載の締結装置。
【請求項１０】
前記可動鉄芯部材に接続されたバネ部材をさらに備え、前記可動鉄芯部材が、前記引き込まれた状態から前記延出した状態に移動するときに、前記バネ部材の付勢とは逆の方向へ移動される請求項１に記載の締結装置。
【請求項１１】
装置であって、
少なくとも第一の段と第二の段とそれら第一の段と第二の段との間で移動する可動鉄芯部材とを有する多段式ソレノイドと、
前記多段式ソレノイドに接続された制御モジュールとを備え、
前記制御モジュールが、前記第一の段と前記第二の段とそれら第一の段と第二の段との組合せとのうちの少なくとも一つに対する前記可動鉄芯部材の位置を検出し、且つ前記制御モジュールが、前記可動鉄芯部材の前記位置に基づいて、前記第一の段と前記第二の段とそれら第一の段と第二の段との組合せとのうちの少なくとも一つの磁場を調節する、
ことを特徴とする装置。
【請求項１２】
前記制御モジュールが、前記第一の段と前記第二の段とそれら第一の段と第二の段との組合せとのうちの少なくとも一つに関連する電流の変化率の変化を測定することによって、前記可動鉄芯部材の前記位置を測定し、且つ前記電流の変化率の変化は、前記第一の段と前記第二の段とそれら第一の段と第二の段との組合せとのうちの少なくとも一つに関連する回路のインダクタンスの変化によって引き起こされる請求項１１に記載の装置。
【請求項１３】
前記制御モジュールは、前記第一の段と前記第二の段とのうちの一つに関連する電流変曲点の検出に基づいて前記可動鉄芯部材の前記位置を測定する請求項１１に記載の装置。
【請求項１４】
前記制御モジュールは、前記可動鉄芯部材の前記位置を検出する一又は二以上のセンサと送受信することによって前記可動鉄芯部材の前記位置を測定し、且つ前記一又は二以上のセンサが、前記第一の段と前記第二の段とそれら第一の段と第二の段との組合せとのうちの少なくとも一つと関連する請求項１１に記載の装置。
【請求項１５】
前記制御モジュールは、前記可動鉄芯部材の前記位置に基づいて、前記第一の段と前記第二の段とそれら第一の段と第二の段との組合せとのうちの少なくとも一つに関連する前記磁場を消失させ又は生じさせる請求項１１に記載の装置。
【請求項１６】
締結具をワークに打ち込むための方法であって、
駆動シーケンスを実行するためのトリガを引き戻すステップと、
多段式ソレノイドにおいて磁場を生じさせるステップであって、前記磁場を、第一の段と第二の段とそれら第一の段と第二の段との組合せとのうちの少なくとも一つにおいて生じさせるステップと、
可動鉄芯部材を、前記磁場を生じる引き込まれた状態から延出した状態に引き寄せるステップと、
前記第一の段と前記第二の段とそれら第一の段と第二の段との組合せとのうちの少なくとも一つに対する前記可動鉄芯部材の位置を測定するステップと、
前記駆動シーケンスの際に前記第一の段と前記第二の段との間に電力を導くステップとを備え、
該電力を導くことが、前記可動鉄芯部材の前記位置の前記測定に基づいていることを特徴とする方法。
【請求項１７】
前記可動鉄芯部材の前記位置の前記測定が、前記第一の段と前記第二の段とそれら第一の段と第二の段との組み合わせとのうちの少なくとも一つに関連する電流の変化を測定するステップを含み、前記電流の変化が、前記第一の段と前記第二の段とそれら第一の段と第二の段との組合せとのうちの少なくとも一つに関連する回路のインダクタンスの変化によって生じている請求項１６に記載の方法。
【請求項１８】
前記可動鉄芯部材の前記位置の前記測定が、前記第一の段と前記第二の段とそれら第一の段と第二の段との組合せとのうちの一つに関連する電流変曲点を検出するステップを含む請求項１６に記載の方法。
【請求項１９】
前記可動鉄芯部材の前記位置の前記測定が、前記可動鉄芯部材の前記位置を検出する一又は二以上のセンサと送受信するステップを含んでいる請求項１６に記載の方法。
【請求項２０】
前記可動鉄芯部材が、前記引き込まれた状態から前記延出した状態に移動するときに、引き込まれた状態から延出した状態に駆動ブレード部材を移動するステップをさらに備える請求項１６に記載の方法。
【請求項２１】
前記引き込まれた状態から前記延出した状態に前記駆動ブレード部材を移動するように前記駆動ブレード部材の一部を前記可動鉄芯部材に突き当てるステップをさらに備える請求項２０に記載の方法。
【請求項２２】
バネ部材によって発生した力のみによって、前記延出した状態から前記引き込まれた状態へ前記可動鉄芯部材を移動するステップをさらに備える請求項１６に記載の方法。
【手続補正２】
【補正対象書類名】明細書
【補正対象項目名】００１４
【補正方法】変更
【補正の内容】
【００１４】
プランジャ部材１０８を引き込まれた状態に戻すために、第一の段１０２及び／又は第二の段１０４は、エネルギを付与させ得るが、磁場の方向が、プランジャ部材１０８に適用される磁力の方向を逆にするために正反対にすることが出来る。例えば、図１では、プランジャ部材１０８ａは、駆動ブレード３０を引き込まれた状態に延出した状態から戻すことが出来る。図２Ａ、図２Ｂ、図２Ｃに示されるように、可動鉄芯部材１０６は、キャップ部材１２２を有するプランジャ部材１０８を締め付け得るコア部材１２４をさらに形成することが出来る。本教示の他の形態において、キャップ部材１２２及び／又はコア部材１２４が、省略され得るが、本教示の一形態では、キャップ部材１２２及び／又はコア部材１２４が含まれ得る。